(57)【要約】      （修正有）【課題】最小部品で構成しつつ連結手段等を用いて組み立てることで種々の用途に使用することができるショベルを備えた農作業器具を提供する。【解決手段】地中に突き刺すショベル２Ａ，２Ｂと、ショベルに着脱自在に連結される柄３Ａ，３Ｂを備え、柄３Ａ，３Ｂの内部は肥料や種を通過させる中空内部として形成され、ショベルに中空内部と連結されて肥料や種を散布するための排出口２ｄが設けられている。ショベルを地中に突き刺すために足を掛ける足掛け部が他の柄やショベルを連結させる連結部５Ａ，５Ｂを兼用しており、連結部５Ａ，５Ｂに他のショベルと連結される柄を連結させると、連結部５Ａ，５Ｂを中心に一対のショベルを備えた農作業器具になる。【選択図】図１
0003207514.tif 000002
【実用新案登録請求の範囲】
【請求項１】
地中に突き刺すショベルと、ショベルに着脱自在に連結される柄を備え、柄の内部は肥料や種を通過させる中空内部として形成され、ショベル又は柄に、中空内部と連結状態になる排出口が設けられていることを特徴とするショベルを備えた農作業器具。
【請求項２】
ショベルを地中に突き刺すために足を掛ける足掛け部が他の柄やショベルを連結させる連結部を兼用しており、前記連結部に他のショベルと連結される柄を連結させると、前記連結部を中心に一対のショベルを備えた農作業器具になることを特徴とする請求項１記載のショベルを備えた農作業器具。
【請求項３】
地中に突き刺す一対のショベルと、各ショベルに連結される柄を各一対備え、柄に肥料や種を供給する供給用ホッパが設けられるとともに、柄の内部は肥料や種を通過させる中空内部に形成され、ショベル又は柄に地中に向かって肥料や種を供給するための排出口が形成され、前記一対のショベルと柄を連結する連結部が設けられていることを特徴とするショベルを備えた農作業器具。
【請求項４】
前記柄に、ショベルを地中に突き刺すために足を掛ける足掛け部が着脱自在に取り付けられており、この足掛け部が前記他方の柄との連結部を兼用していることを特徴とする請求項３記載のショベルを備えた農作業器具。
【請求項５】
前記肥料や種を散布するための排出口を覆うカバー金具を備え、柄に対して着脱自在に取り付けられて前記肥料や種を散布するための排出口を覆う範囲を調整して排出量を調整するか、又は、カバー金具に設けられた折り曲げ部を調節して前記肥料や種を散布するための排出口からの排出量を調節することを特徴とする請求項１ないし４のいずれか１項記載のショベルを備えた農作業器具。
【考案の詳細な説明】
【技術分野】
【０００１】
本考案は、土や砂地に対して肥料や種などを供給するショベルを備えた農作業器具に関する。
【背景技術】
【０００２】
耕作地や家庭菜園等において、土や砂地に対して肥料を供給する際に、土や砂地の上に肥料を散布するほかに、土や砂地に穴を開けてから肥料を供給することが必要になる場合がある。また、植林を行う際にも、土や砂地に穴を開けて肥料を供給してから植林を行う場合もある。
【０００３】
特許文献１から４は、一本の棒形状の本体とは、別に供給用ホッパをパイプを介してショベルに供給することや、カバーと操作ワイヤや操作バーなどの柄とでショベルを各々操作するショベルを備えた農作業器具が開示されている。
【特許文献１】実公平０２−０３６３２７号公報
【特許文献２】特開２００４−３０５１６９号公報
【特許文献３】特開１０−０８４７２７号公報
【特許文献４】特許第４８４５９２９号公報
【特許文献５】実公平２−３６３２７号公報
【考案の開示】
【考案が解決しようとする課題】
【０００４】
ところで、特許文献５は、左右一対の差し込み部（ショベル）に各々柄を備える土付き苗植え器であるが、一本で使用すれば足りる場合があったり、ショベル部のみ使用したい場合がある。また、地中深く大きな穴を掘るような場合には、左右一対のショベルとそれを操作する柄を備えていることが要求される場合もある。
他方、保管したり運搬したり、また、洗浄したりする場合は、分解して最小部品で構成しておき、保管したり運搬したりすることができれば便利である。
【０００５】
そこで本考案の目的は、肥料や種などを土の中や砂地の中に深く効率よく供給することができるショベルを備えた農作業器具であって、最小部品で構成しつつ連結手段等を用いて組み立てることで種々の用途に使用することができるショベルを備えた農作業器具を提供することにある。
【課題を解決するための手段】
【０００６】
本考案のショベルを備えた農作業器具は、地中に突き刺すショベルと、ショベルに着脱自在に連結される柄を備え、柄の内部は肥料や種を通過させる中空内部として形成され、ショベル又は柄に、中空内部と連結状態になる排出口が設けられていることを特徴とする。
本考案によれば、柄を握ってショベルで土に突き刺したり土を掘り起こした時に、その場合で柄の供給用ホッパから肥料や種を供給すると、柄の中空内部を介してショベル近傍位置に供給することができる。そして、足掛け部が設けられているので、足掛け部に足をかけて体重を乗せるようにすると、足で足掛け部を介してショベルを突き刺した状態に支持しておき、手で肥料や種を供給用ホッパから供給して、地中に肥料や種を埋める作業を効果的に行うことができる。なお、ショベルの中空の接続部に前記排出口を形成すると、その中空部を利用して容易に排出口が形成されるとともに、中空の柄との連係が容易になる。
【０００７】
本考案としては、前記連結部に、ショベルを地中に突き刺すために足を掛ける足掛け部が着脱自在に取り付けられており、この足掛け部が前記他方の柄との連結部を兼用していることを特徴とする。
本考案によれば、足掛け部が連結を兼用しているので、この連結部で足をかけて固定した状態にして、足で足掛け部を介してショベルを突き刺した状態に支持しておき、手で肥料や種を供給用ホッパから供給して、地中に肥料や種を埋める作業を効果的に行うことができる。
【０００８】
また、本考案としては、ショベルを地中に突き刺すために足を掛ける足掛け部が他の柄やショベルを連結させる連結部を兼用しており、前記連結部に他のショベルと連結される柄を連結させると、前記連結部を中心に一対のショベルを備えた農作業器具になることを特徴とする。
本考案によれば、足掛け部が連結を兼用しているので、この連結部で足をかけて固定した状態にして、足で足掛け部を介してショベルを突き刺した状態に支持しておき、手で肥料や種を供給用ホッパから供給して、地中に肥料や種を埋める作業を効果的に行うことができる。
【０００９】
また、本考案としては、前記肥料や種を散布するための排出口を覆うカバー金具を備え、柄に対して着脱自在に取り付けられて前記肥料や種を散布するための排出口を覆う範囲を調整して排出量を調整するか、又は、カバー金具に設けられた折り曲げ部を調節して前記肥料や種を散布するための排出口からの排出量を調節することを特徴とする。
本考案によれば、排出口を覆うカバー金具の角度や、排出口を覆う範囲を調節することで排出する量を調節することができる。
【考案の効果】
【００１０】
本考案によれば、連結部兼用の足掛け部に片足を掛けてショベルと地中に向けて突き刺し、片方の手で供給用ホッパに肥料や種を供給すると、中空内部の柄を介してショベルの近傍に肥料や種を送り込むことができる。このような構造のショベルを備えた農作業器具は、連結部を介して左右一対のショベルと柄を備えるものに組み立てることができる。他方、足掛け部兼用の連結部は着脱自在であるので、一方のショベル及び柄と他方のショベル及び柄を分解することができるとともに、ショベルと柄も分解できるので、保管・運搬や洗浄に利便性を発揮することになる。
【図面の簡単な説明】
【００１１】
【図１】本考案の実施の形態であるショベルを備えた農作業器具を示す正面図と背面図である。
【図２】上記実施の形態のショベルを備えた農作業器具を説明する図であり、連結部で一対の柄が連結されて左右一対のショベルを備えた農作業器具を示す側面図である。
【図３】上記実施の形態の内部中空の排出口の形状を説明する図である。
【図４】上記実施の形態の連結部を外した状態を説明する断面図である。
【図５】上記実施の形態のカバー金具の例を示す図である。
【考案を実施するための形態】
【００１２】
以下、本考案を実施するための最良の形態を図面にもとづいて説明する。
【００１３】
図１は、本考案に係る第１の実施の形態のショベルを備えた農作業器具１の正面図であり、図２は背面図である。図４（ａ）（ｂ）は、柄のパイプの内部を示す図である。第１の実施の形態は、土や砂地に対して穴を開けるショベル２Ａ，２Ｂと、ショベルを操作する柄３Ａ，３Ｂと、連結部兼用の足掛け部８を備えるショベルを備えた農作業器具１である。柄３Ａ，３Ｂには、供給用ホッパ８ａが取付けられ、供給用ホッパ８ａには連結ホース８ｂが取付けられている。中空内部の柄には、肥料や種の供給量を調節する調節手段（調節弁）を設けることが可能である。一方の柄の供給用ホッパ８ａに肥料や種を入れると、ショベル２Ａ，２Ｂの近傍の排出口２ｄから地中に散布される。排出口２ｄは、柄に形成されているが、柄とショベルを連結させて、ショベルから排出することも可能である。排出口２ｄには、内部中空を拡径する拡大部２ｃが設けられており、その拡大部側に肥料や種を排出させ易くしている。なお、ショベルの中空の接続部２ｓに前記排出口２ｄを形成すると、その中空部２ｓを利用して容易に形成することができるとともに、中空の柄３Ａ，３Ｂとの連係が容易になる。
【００１４】
ショベル２Ａ，２Ｂは、土や砂地に突き刺したり土を掘り起こしたりする金属製のもので、対向する一対のショベル２Ａ，２Ｂとして構成されている。一対のショベル２Ａ，２Ｂには、各々柄３Ａ，３Ｂを差し込む差込部が円筒状に形成されているか、シール部材Ｃを介して、連結部材で挟持しても良い。ショベル２Ａ，２Ｂの柄と連結される着脱部２ｔは、２つに別れており、連結部５で挟み込むものや（図４（ａ））、ショベル２Ａ，２Ｂの柄と連結される着脱部２ｔが前記肥料や種を散布するための排出口２ｄとしても使用でき、又、前記肥料や種を散布するための排出口２ｄが柄と連結される着脱部２ｔとしても使用できる。
ショベル２Ａ，２Ｂと各柄３Ａ，３Ｂとはカバー金具６を介して連結することが可能である。カバー金具６は連結部５による挟持手段（Ｕ字状部材）５ｕによっても固定できる。ショベル２Ａ，２Ｂには、前記肥料や種の排出口２ｄを覆うカバー金具６が着脱されている。カバー金具６には、折り曲げ部６ａが設けられており、ゴム製の折り曲げ６ａの角度を調製できる。この折り曲げ部６ａの角度やカバー金具６の前記排出口２ｄを覆う範囲を調整することで、肥料や種の排出量を調製できる（図５（ａ）（ｂ））。このカバー金具６は連結部５を介して柄３Ｂに取付けることもでき、又、それ単独でも柄３Ｂに取り付けが可能である。
【００１５】
柄３Ａ，３Ｂは、中空内部のパイプと、その上方側の取っ手２ｔで構成され、下方側のショベル２Ａ，２Ｂと連結される構造である。中空内部のパイプとしては、円筒パイプや角形パイプが使用可能である。この一対のショベルを備えた柄３Ａ，３Ｂは、足掛け部兼用の連結部５を介して連結される。連結部５は、足掛け部を兼用しており、一対の柄３Ａと柄３Ｂの間の位置において、Ｕ字形状部分５ｕを有する金具５Ａ，５Ｂで各柄４Ａ，４Ｂを挟持して取付けられている。Ｕ字状金具の部分５ｕを折り曲げして重ねあわせるようにしてネジＮで止められると、上下二枚の調整金具Ｎでねじ止めされているが、一方のネジＮを回すと、一対のショベル２Ａ，２Ｂの角度が調節可能である。なお、Ｕ字形状部分を有する金具５Ａ，５Ｂにより、上記カバー金具６を介して連結部５Ａ，５Ｂを折り曲げして重ねあわせるなどしても良い。
【００１６】
本実施の形態のショベルを備えた農作業器具１を使用して肥料や種を散布するときは、一対のショベル２Ａ，２Ｂの開閉作業を行うが、一対のショベル２Ａ，２Ｂの間には、連結部５が位置しているので、この連結部５を足掛け部として使用して体重をかけると、一対のショベル２Ａ，２Ｂを地中深く突き刺すことができる。そして、肥料や種を供給用ホッパ８ａから供給して、柄の中空内部を介してショベル近傍位置に供給することができる。なお、左右の両方の柄３Ａ，３Ｂを各々内部中空としたり、各々に供給用ホッパ８ａと連結ホース８ｂを取付けても良い。
【００１７】
ここで、本実施の形態の一対のショベル付きの柄３Ａは、各々単独でも使用可能である。図に示すように、ショベル２Ａ，２Ｂは連結部５で連結されたものであるが、この連結部５は取付けられたまま（少なくとも片側の連結部５Ａは取付けられたまま）で使用して足掛け部として試用すると良い。連結部兼用の足掛け部５が設けられていると、足掛け部５に片足をかけて体重を乗せるようにすると、片方のみでもショベル２Ａ，２Ｂを突き刺した状態に支持してでき、肥料や種を供給用ホッパ８ａから供給して、柄の中空内部を介してショベル近傍位置に供給することができる。
【００１８】
本実施の形態のショベルを備えた農作業器具１を分解するときは、連結部５のネジＮを緩めると、一対の柄３Ａ，３Ｂを外すことができるとともに、カバー金具６等を外すことができる（図４（ａ）（ｂ））。そして、パイプ状の柄３Ａ，３Ｂから一対のショベルを外す。
【００１９】
以上、本実施の形態では、別に水の容器を更に備えたり、供給用ホッパ８ａに水の容器を更に備えたりすることは実施に応じ可能である。なお、一対の柄に各々供給用ホッパ８を取付けて、一方からは肥料や種を送り、他方からは水を送ることもできる。
【符号の説明】
【００２０】
１               ショベルを備えた農作業器具、
２Ａ，２Ｂ       ショベル、２ｔ    着脱部、２ｓ    接続部（中空部）、
２ｃ              排出口の拡径部、２ｄ        排出口（肥料や種の排出口）、
３Ａ，３Ｂ        柄、
３Ｂ              中空内部を有する柄、
６                排出口金具（カバー金具）、６ａ      折り曲げし部、
５，５Ａ，５Ｂ    連結部（足掛け部）、
８ａ              供給用ホッパ、８ｂ             連結ホース、
Ｎ                ネジ（角度調節部）、
【図１】
0003207514.tif 000003
【図２】
0003207514.tif 000004
【図３】
0003207514.tif 000005
【図４】
0003207514.tif 000006
【図５】
0003207514.tif 000007
【手続補正書】
【提出日】平成28年9月9日(2016.9.9)
【手続補正１】
【補正対象書類名】実用新案登録請求の範囲
【補正対象項目名】全文
【補正方法】変更
【補正の内容】
【実用新案登録請求の範囲】
【請求項１】
地中に突き刺すショベルと、ショベルに着脱自在に連結される柄を備え、柄の内部は肥料や種を通過させる中空内部として形成され、ショベル又は柄に、中空内部と連結状態になる排出口が設けられていることを特徴とするショベルを備えた農作業器具。
【請求項２】
ショベルを地中に突き刺すために足を掛ける足掛け部が他の柄やショベルを連結させる連結部を兼用しており、前記連結部に他のショベルと連結される柄を連結させると、前記連結部を中心に一対のショベルを備えた農作業器具になることを特徴とする請求項１記載のショベルを備えた農作業器具。
【請求項３】
地中に突き刺す一対のショベルと、各ショベルに連結される柄を各一対備え、柄に肥料や種を供給する供給用ホッパが設けられるとともに、柄の内部は肥料や種を通過させる中空内部に形成され、ショベル又は柄に地中に向かって肥料や種を供給するための排出口が形成され、前記一対のショベルと柄を連結する連結部が設けられていることを特徴とするショベルを備えた農作業器具。
【請求項４】
前記柄に、ショベルを地中に突き刺すために足を掛ける足掛け部が着脱自在に取り付けられており、この足掛け部が前記柄との連結部を兼用していることを特徴とする請求項３記載のショベルを備えた農作業器具。
【請求項５】
前記肥料や種を散布するための排出口を覆うカバー金具を備え、柄に対して着脱自在に取り付けられて前記肥料や種を散布するための排出口を覆う範囲を調整して排出量を調整するか、又は、カバー金具に設けられた折り曲げ部を調節して前記肥料や種を散布するための排出口からの排出量を調節することを特徴とする請求項１ないし４のいずれか１項記載のショベルを備えた農作業器具。
【手続補正２】
【補正対象書類名】明細書
【補正対象項目名】０００７
【補正方法】変更
【補正の内容】
【０００７】
本考案としては、前記柄に、ショベルを地中に突き刺すために足を掛ける足掛け部が着脱自在に取り付けられており、この足掛け部が前記柄との連結部を兼用していることを特徴とする。
本考案によれば、足掛け部が連結部を兼用しているので、この連結部で足をかけて固定した状態にして、足で足掛け部を介してショベルを突き刺した状態に支持しておき、手で肥料や種を供給用ホッパから供給して、地中に肥料や種を埋める作業を効果的に行うことができる。